(57)【要約】【課題】撮影姿勢をとらなければならないという制約条件が無く、目的の周囲情報閲覧操作を行うことができる無線通信装置を提供する。【解決手段】外部と無線通信を行う通信部１２と、表示器１８と、表示器１８の仰角方向を検出する仰角検出部２１と、仰角方向に関する方位の方位情報を取得する方位情報取得部１１と、緯度及び経度の位置情報を取得する位置情報取得部１０と、位置情報及び方位情報を確定する位置・方位確定部１５と、位置・方位確定部１５により確定した位置情報と方位情報を記録する位置・方位記録部２０と、通信部１２を経由して、位置情報及び方位情報に関連する情報を検索可能な位置・方位情報検索部１９と、を備え、位置・方位情報検索部１９で検索され、かつ、位置・方位記録部２０に記録された位置情報と方位情報に関連する情報を表示器１８に表示する。【選択図】図１
2013026885.tif 000002
【特許請求の範囲】
【請求項１】
外部と無線通信を行う通信手段と、
表示器と、
前記表示器の仰角方向を検出する仰角検出手段と、
前記仰角方向に関する方位の方位情報を取得する方位情報取得手段と、
緯度及び経度の位置情報を取得する位置情報取得手段と、
前記位置情報及び前記方位情報を確定する位置・方位確定手段と、
前記位置・方位確定手段により確定した位置情報と方位情報を記録する位置・方位記録手段と、
前記通信手段を経由して、前記位置情報及び前記方位情報に関連する情報を検索可能な位置・方位情報検索手段と、を備え、
前記位置・方位情報検索手段で検索され、かつ、前記位置・方位記録手段に記録された位置情報と方位情報に関連する情報を前記表示器に表示する携帯通信装置。
【請求項２】
請求項１に記載の携帯通信装置であって、
前記表示器は表示面を有し、
前記仰角方向は、前記表示面と反対方向であり、かつ前記表示面と垂直な方向であり、
前記仰角方向に関する方位は、前記仰角の水平方向成分の方位である携帯通信装置。
【請求項３】
請求項１又は請求項２に記載の携帯通信装置であって、
前記位置・方位情報検索手段で検索され、かつ、前記位置・方位記録手段に記録された位置情報と方位情報に関連する情報は、
前記位置・方位確定手段が前記位置情報及び前記方位情報を確定する前に検索された情報、
又は確定前に検索された情報、
又は確定した後に検索された情報である携帯通信装置。
【請求項４】
請求項１又は請求項２に記載の携帯通信装置であって、
前記位置・方位情報検索手段で検索され、かつ、前記位置・方位記録手段に記録された位置情報と方位情報に関連する情報は、
前記位置・方位確定手段が前記位置情報及び前記方位情報を確定した後に検索された情報である携帯通信装置。
【請求項５】
請求項１から請求項４のいずれか１項に記載の携帯通信装置であって、
前記方位情報取得手段と前記表示器とを収容する筐体を備え、
前記方位情報取得手段は、３軸の方位センサーを有し、
前記仰角検出手段は、前記３軸の方位センサーを利用する携帯通信装置。
【発明の詳細な説明】
【技術分野】
【０００１】
本発明は、携帯電話、ＰＨＳ（Personal Handy-Phone System）、無線ＬＡＮ機能を有する携帯端末等の通信機能を有する携帯通信装置に関する。
【背景技術】
【０００２】
従来、上述した携帯通信装置を用いてネットワーク上のサーバにアクセスすることで、位置情報に基づいた周囲の情報を検索・閲覧を可能とするサービスがある。この種のサービスは、例えば特許文献１や特許文献２にも記載されている。すなわち、特許文献１には、「ユーザの携帯端末に、無線ＬＡＮ及び広域無線ネットワークを設けて、無線ＬＡＮを用いて無線サーバに割り当てられた位置情報を取得するとともに、取得した位置情報を基に広域無線ネットワーク上の地域サーバの地位情報検索サービスを起動し、この起動による地域情報検索結果として、ユーザの要求した情報とともに、位置情報をユーザの携帯端末の表示画面に表示する」技術が記載されている。
【０００３】
特許文献２には、「デジタルスチルカメラに、携帯端末又はユーザ端末を接続し、ネットワークを介してホストコンピュータに対して、所望のサービスが受けられる最寄りのサービスショップの検索を行い、これを受けたサービスショップが、携帯端末又はユーザ端末からデジタルスチルカメラに関する機種情報、位置情報等を取得して、該当するサービスショップを検索し、該当するサービスショップの位置情報を、携帯端末又はユーザ端末を介してデジタルスチルカメラの液晶画面に表示させる」技術が記載されている。
【０００４】
一方、携帯通信装置の位置情報と該携帯通信装置に内蔵された撮像器の向き・方位情報を基に該携帯通信装置の周囲情報を検索し、撮像器を用いて対象物を投影させるとともに、ネットワーク上の蓄積データから、位置・方位に基づく登録情報を前記投影画像と合成して表示するサービス機能が既に提供されている。図７は、その種のサービス機能を有する携帯通信装置の概略構成を示すブロック図である。同図に示す携帯通信装置１００は、位置情報取得部１０、方位情報取得部１１、通信部１２、位置・方位情報検索部１３、位置・方位コンテンツ情報表示部１４、位置・方位確定部１５、撮像器１６、表示制御部１７及び表示器１８から構成される。
【０００５】
位置情報取得部１０は、緯度及び経度の位置情報を取得する。方位情報取得部１１は、方位情報を取得する。通信部１２は、外部と無線通信を行う。位置・方位情報検索部１３は、通信部１２を経由して外部と通信を行い、位置情報及び方位情報に関連する情報を検索する。外部での検索により、位置情報及び方位情報に関連する情報が得られると、該情報を位置・方位コンテンツ情報表示部１４に出力する。位置・方位コンテンツ情報表示部１４は、位置・方位情報検索部１３から出力された位置情報及び方位情報に関連する情報を所定の形式に変換して表示制御部１７に出力する。また、位置・方位コンテンツ情報表示部１４は、位置・方位確定部１５にて方位にオフセット調整する操作が行なわれた場合、該操作に従い、方位にオフセット調整を行なう。
【０００６】
方位情報の修正は、撮像器１６と方位情報取得部１１が同一平面上に無い場合に行われる。この点について、図８を用いて説明する。例えば、携帯通信装置１００が、図８の（ａ）に示すようなストレート型の携帯電話である場合は、撮像器１６と方位情報取得部１１が同一筐体に取り付けられるので、方位のオフセット調整は不要である。また、図８の（ｂ）及び（ｃ）に示すような折畳み型の携帯電話の場合でも、撮像器１６と方位情報取得部１１が同一の筐体に取り付けられていれば（（ｂ）の場合は上筐体、（ｃ）の場合は下筐体）、方位のオフセット調整は不要である。しかしながら、図８の（ｄ）及び（ｅ）に示すように、撮像器１６と方位情報取得部１１が異なる筐体に取り付けられている場合は、撮像器１６の撮像方向と方位情報取得部１１の向きが異なるので、方位のオフセット調整を行う必要がある。図８の（ｄ）の場合は、撮像器１６が上筐体に、方位情報取得部１１が下筐体に取り付けられており、図８の（ｅ）の場合は、方位情報取得部１１が上筐体に、撮像器１６が下筐体に取り付けられている。このように、撮像器１６と方位情報取得部１１が同一平面上に無い場合は、方位のオフセット調整が行なわれる。
【０００７】
図７に戻り、表示制御部１７は、位置・方位コンテンツ情報表示部１４で所定の形式に変換された位置情報及び方位情報に関連する情報と、撮像器１６からの画像を重畳して表示器１８に表示する。このように、位置情報と方位情報を取得して、これらの情報に基づいて、外部より位置情報及び方位情報に関連する情報を取得し、取得した位置情報及び方位情報に関連する情報と、撮像器１６で撮像して得られた画像を重畳して表示器１８に表示する。
【先行技術文献】
【特許文献】
【０００８】
【特許文献１】特開２００１−２２３７１２号公報
【特許文献２】特開２００３−１５０４７６号公報
【発明の概要】
【発明が解決しようとする課題】
【０００９】
しかしながら、従来の携帯通信装置１００では、周囲情報の閲覧の際に、撮像器１６を閲覧対象側に向けるという操作が必要となるため、閲覧状態時には撮影状態と同様の姿勢をとらなければならないという制約条件が伴う。そのため、撮影姿勢での表示閲覧を行うために、撮影してはいけない場所、撮影は可能だが周囲の人から不審に思われる場所、撮影も可能で不審に思われないが屋外などで表示装置が見え難い場合など、閲覧し難い条件が多数あるため利用し難い。加えて、撮像器１６を利用した情報閲覧では、周囲情報の閲覧に際して、携帯通信装置１００の位置情報・方位情報の変化に対応して随時検索表示を行うため、表示確認や検索情報の確定操作を行う際に撮像器１６の向きが変わってしまうと、閲覧したい情報の選択ができないという不都合もある。
【００１０】
ユーザが通信機能を経由して周囲情報を閲覧したいと思う場合は閲覧情報の閲覧が主目的である。閲覧するために表示器１８を見やすい角度で保持する場合、携帯通信装置１００の構成・構造によっては必ずしも撮像器１６の向きと一致しないことも多い（例えば図８の（ｄ）及び（ｅ）の場合）。また、必ずしも対象物の撮影画像と合成する必要もなく、ユーザと対象物の位置関係から容易に推測できる場合も多く、さらに、対象物の画像自体もネットワーク経由で情報閲覧の情報として検索されたものであっても構わないと考えられる。
【００１１】
本発明は、係る事情に鑑みてなされたものであり、撮影姿勢をとらなければならないという制約条件が無く、目的の周囲情報閲覧操作を行うことができる携帯通信装置を提供することを目的とする。
【課題を解決するための手段】
【００１２】
本発明の携帯通信装置は、外部と無線通信を行う通信手段と、表示器と、前記表示器の仰角方向を検出する仰角検出手段と、前記仰角方向に関する方位の方位情報を取得する方位情報取得手段と、緯度及び経度の位置情報を取得する位置情報取得手段と、前記位置情報及び前記方位情報を確定する位置・方位確定手段と、前記位置・方位確定手段により確定した位置情報と方位情報を記録する位置・方位記録手段と、前記通信手段を経由して、前記位置情報及び前記方位情報に関連する情報を検索可能な位置・方位情報検索手段と、を備え、前記位置・方位情報検索手段で検索され、かつ、前記位置・方位記録手段に記録された位置情報と方位情報に関連する情報を前記表示器に表示する。
【００１３】
上記構成によれば、基本となる位置情報取得手段と方位情報取得手段に加え、表示器の仰角検出手段により、撮像器の方位情報に関係することなくユーザの閲覧したい情報の位置と方位情報を検出するので、撮影姿勢をとらなければならないという制約条件を除外し、目的の周囲情報閲覧操作が可能となる。また、位置・方位確定手段により、位置情報・方位情報を記録する位置・方位記録手段に、ユーザの閲覧したい対象物の検索条件を記録させるので、閲覧の場所・時間の制約を除外することができる。その結果、見え難い場所での閲覧を回避して見やすい場所で閲覧可能であり、また、その場を離れた後でも閲覧することができる。
【００１４】
上記構成において、前記表示器は表示面を有し、前記仰角方向は、前記表示面と反対方向であり、かつ前記表示面と垂直な方向であり、前記仰角方向に関する方位は、前記仰角の水平方向成分の方位である。
【００１５】
上記構成において、前記位置・方位情報検索手段で検索され、かつ、前記位置・方位記録手段に記録された位置情報と方位情報に関連する情報は、前記位置・方位確定手段が前記位置情報及び前記方位情報を確定する前に検索された情報、又は確定前に検索された情報、又は確定した後に検索された情報である。
【００１６】
上記構成において、前記位置・方位情報検索手段で検索され、かつ、前記位置・方位記録手段に記録された位置情報と方位情報に関連する情報は、前記位置・方位確定手段が前記位置情報及び前記方位情報を確定した後に検索された情報である。
【００１７】
上記構成において、前記方位情報取得手段と前記表示器とを収容する筐体を備え、前記方位情報取得手段は、３軸の方位センサーを有し、前記仰角検出手段は、前記３軸の方位センサーを利用する。
【発明の効果】
【００１８】
本発明によれば、位置情報及び方位情報の取得手段に加えて、表示器の仰角を検出する仰角検出手段を備え、撮像器の方位情報に関係することなくユーザの閲覧したい情報の位置と方位情報を検出するので、撮影姿勢をとらなければならないという制約条件を除外し、目的の周囲情報閲覧操作が可能となる。また、位置・方位確定手段により、位置情報・方位情報を記録する位置・方位記録手段に、ユーザの閲覧したい対象物の検索条件を記録させるので、閲覧の場所・時間の制約を除外することができ、見え難い場所での閲覧を回避して見やすい場所で閲覧可能となり、またその場を離れた後でも閲覧することができる。
【図面の簡単な説明】
【００１９】
【図１】本発明の一実施の形態に係る携帯通信装置の概略構成を示すブロック図
【図２】図１の携帯通信装置をストレート構造の携帯電話とした場合と、折畳み構造の携帯電話とした場合の仰角検出部の取り付け例を示す図
【図３】図１の携帯通信装置の表示器の向きと閲覧対象の方向の一例を示す図
【図４】図１の携帯通信装置の動作（Ｉ）を説明するためのフローチャート
【図５】図１の携帯通信装置の動作（ＩＩ）を説明するためのフローチャート
【図６】図１の携帯通信装置の動作（ＩＩＩ）を説明するためのフローチャート
【図７】従来の携帯通信装置の概略構成を示すブロック図
【図８】従来の携帯通信装置における問題点を説明するための図
【発明を実施するための形態】
【００２０】
以下、本発明を実施するための好適な実施の形態について、図面を参照して詳細に説明する。
【００２１】
図１は、本発明の一実施の形態に係る携帯通信装置の概略構成を示すブロック図である。なお、図１において、前述した図７と共通する部分には同一の符号を付けている。本実施の形態に係る携帯通信装置１は、位置情報取得部（位置情報取得手段）１０、方位情報取得部（方位情報取得手段）１１、通信部（通信手段）１２、位置・方位情報検索部（位置・方位情報検索手段）１９、位置・方位コンテンツ情報表示部１４、位置・方位確定部（位置・方位確定手段）１５、撮像器１６、表示制御部１７、表示器１８、位置・方位記録部（位置・方位記録手段）２０及び仰角検出部（仰角検出手段）２１を備える。
【００２２】
位置情報取得部１０は、携帯通信装置１が置かれた緯度及び経度の位置情報を取得する。位置情報の取得に用いる手段としてはＧＰＳ（Global Positioning System）が好適である。この他にも、無線ＬＡＮを用いた位置特定、位置タグ情報を用いた方式を利用してもよい。方位情報取得部１１は、仰角検出部２１から出力される仰角情報に基づき、仰角方向に関する方位の方位情報を取得する。方位情報の取得には２軸又は３軸の方位センサーが好適である。通信部１２は、外部と無線通信を行う。位置・方位情報検索部１９は、通信部１２を経由して外部と通信を行い、位置情報及び方位情報に関連する情報（以下、“位置・方位コンテンツ情報”と呼ぶ）を検索する。位置・方位情報検索部１９は、外部での検索により位置・方位コンテンツ情報が得られると、位置・方位コンテンツ情報を位置・方位コンテンツ情報表示部１４に出力するとともに、位置・方位記録部２０に出力する。位置・方位記録部２０は、位置情報取得部１０で取得された位置情報及び方位情報取得部１１で取得された方位情報を記録する。
【００２３】
位置・方位コンテンツ情報表示部１４は、位置・方位情報検索部１９から出力された位置・方位コンテンツ情報を表示器１８に好適に表示できる形式に変換して表示制御部１７に出力する。位置・方位確定部１５は、位置・方位記録部２０における位置情報及び方位情報の確定を行う。位置・方位の確定は、例えばソフトキー、ハードキー、ジェスチャー等によるユーザ操作によって行われる。撮像器１６は、映像を撮像し、画像情報として出力する。表示制御部１７は、位置・方位コンテンツ情報表示部１４から出力された位置・方位コンテンツ情報を表示器１８に表示する。すなわち、位置・方位情報検索部１９で検索され、かつ、位置・方位記録部２０に記録された位置・方位コンテンツ情報を表示器１８に表示する。
【００２４】
また、表示制御部１７は、撮像器１６が起動した場合には、撮像器１６から出力された画像を表示器１８に表示する。表示制御部１７は、位置・方位コンテンツ情報表示部１４から位置・方位コンテンツ情報が出力されている場合、その情報と撮像器１６からの画像とを重畳して表示器１８に表示する。表示器１８には液晶や有機ＥＬが用いられ、表示器１８には、位置・方位コンテンツ情報表示部１４から出力された位置・方位コンテンツ情報が表示されるとともに、撮像器１６から出力された画像が表示される。仰角検出部２１は、表示器１８の仰角方向を検出し、これにより得られた仰角情報を方位情報取得部１１に出力する。仰角検出部２１における仰角検出には３軸の方位サンサーを好適に用いることができるが、２軸方位センサー（水平検出）＋加速度センサー、あるいは２軸方位センサー（水平検出）＋フリップ開閉（２値）も勿論用いることができる。
【００２５】
図２は、携帯通信装置１をストレート構造の携帯電話とした場合と、折畳み構造の携帯電話とした場合の仰角検出部２１の取り付け例を示す図である。図２の（ａ）に示すように、ストレート構造の携帯電話の場合、仰角検出部２１と表示器１８は同一筐体となるので、表示器１８に対する仰角は０（ゼロ）の状態となる。また、図２の（ｂ）に示すように、折畳み構造の携帯電話であっても、仰角検出部２１が表示器１８と同じ筐体（この場合、上筐体２）にある場合は、図２の（ａ）の場合と同様に表示器１８に対する仰角は０（ゼロ）の状態となる。これらに対し、図２の（ｃ），（ｄ）に示すように、折畳み構造の携帯電話の場合で、仰角検出部２１と表示器１８が異なる筐体にある場合（この場合、表示器１８が上筐体２にあり、仰角検出部２１が下筐体３にある）、表示器１８に対する仰角はθの状態となる。なお、図２の（ｃ）と図２の（ｄ）の違いは、図２の（ｃ）の場合、撮像器１６が上筐体２、方位情報取得部１１が下筐体３にあり、図２の（ｄ）の場合、撮像器１６が下筐体３、方位情報取得部１１が上筐体２にある点である。
【００２６】
本実施の形態の携帯通信装置１は、図２の（ｂ）に示すタイプのものであり、上筐体２に方位情報取得部１１と表示器１８を収容したものである。
【００２７】
表示器１８の仰角が変わると方位が変わるということなので、どれだけ携帯通信装置１を傾けるかによって方位が変わる。従来は、撮像器１６で撮像して得られた画像を元に撮影方向を決めていたので、被写体に対して無理な姿勢となる場合があり、そのような姿勢では不審者と間違えられる虞があった。これに対し、本発明は、撮像器１６の方位情報に関係することなく、表示器１８の仰角を検出して、ユーザが閲覧したい情報の位置と方位情報を検出するようすることで、撮影姿勢をとらなければならないという制約条件を除外し、目的の周囲情報を閲覧できる操作を可能としたものである。図３は、表示器１８の向きと、仰角方向２５と、仰角方向に関する方位２６を示す図である。同図において、表示器１８は表示面１８ａを有し、仰角方向２５は、表示面１８ａと反対方向であり、かつ表示面１８ａと垂直な方向である。仰角方向２５に関する方位２６は、仰角の水平方向成分の方位である。方位２６は、検索・閲覧対象の方向である。なお、方位２７は、撮像器１６の撮像方向である。
【００２８】
次に、本実施の形態の携帯通信装置１の動作について説明する。
〈携帯通信装置１の動作（Ｉ）〉
図４は、本実施の形態の携帯通信装置１の動作（Ｉ）を示すフローチャートであって、位置・方位情報ならびに仰角情報を確定してから位置・方位コンテンツ情報の検索を行う処理である。同図において、まず位置情報取得部１０が位置情報を取得し（ステップＳ１）、次いで方位情報取得部１１が方位情報を取得する（ステップＳ２）。そして、仰角検出部２１が表示器１８の仰角情報を取得する（ステップＳ３）。
【００２９】
位置情報、方位情報及び仰角情報が取得された後、これらの情報を確定するかどうかの判定が行なわれる（ステップＳ４）。この場合、位置情報、方位情報及び仰角情報の３つの情報の確定はユーザによって行われる。ユーザが確定と判断してその旨の操作を行うと、位置情報、方位情報及び仰角情報の３つの情報が確定される（ステップＳ４で「Ｙｅｓ」となる）。位置情報、方位情報及び仰角情報の３つの情報が確定されると、位置・方位記録部２０が、確定された位置・方位情報（仰角情報を含む）を記録する（ステップＳ５）。ユーザが位置情報、方位情報及び仰角情報の３つの情報を確定しなかった場合は、ステップＳ１に戻り、位置情報の取得から処理が再開する。
【００３０】
位置・方位記録部２０が位置・方位情報を記録した後、閲覧かどうかの判定が行なわれる（ステップＳ６）。この場合、閲覧するかどうかの決定はユーザによって行われる。ユーザが閲覧するための操作を行うと、閲覧が行なわれる（ステップＳ６で「Ｙｅｓ」となる）。すなわち、位置・方位情報検索部１９が、通信部１２を経由して外部と通信を行い、位置情報及び方位情報に関連する情報すなわち位置・方位コンテンツ情報を検索する（ステップＳ７）。位置・方位情報検索部１９は、外部での検索により位置・方位コンテンツ情報を取得すると（ステップＳ８）、取得した位置・方位コンテンツ情報を表示する（ステップＳ９）。すなわち、位置・方位情報検索部１９は、取得した位置・方位コンテンツ情報を位置・方位コンテンツ情報表示器１４に出力し、位置・方位コンテンツ情報表示器１４が、位置・方位コンテンツ情報を表示器１８に好適に表示できる形式に変換して表示制御部１７に出力し、表示制御部１７が、該位置・方位コンテンツ情報を表示器１８に表示する。
【００３１】
表示制御部１７が表示器１８に位置・方位コンテンツ情報を表示した後、再検索かどうかの判定が行なわれる（ステップＳ１０）。この場合、再検索を行うか否かの判断はユーザによって行われる。ユーザが再検索するための操作を行うと、位置情報取得部１０が位置情報を取得し（ステップＳ１）、方位情報取得部１１が方位情報を取得し（ステップＳ２）、仰角検出部２１が仰角情報を取得する（ステップＳ３）。以後、上記同様の動作を行う。一方、再検索を行わない場合、本処理を終了するか否かの判定が行われる（ステップＳ１１）。この場合、本処理を終了するか否かの判断はユーザによって行われる。ユーザが本処理を終了しないと判断して終了操作を行わなければ、ステップＳ１から処理が再開する。
【００３２】
ユーザが本処理を終了すると判断して終了操作を行うと、位置・方位コンテンツ情報を保存するかどうかの判定が行なわれる（ステップＳ１２）。この場合、位置・方位コンテンツ情報を保存するかどうかの判断はユーザによって行われる。ユーザが位置・方位コンテンツ情報を保存するための操作を行うと（ステップＳ１２で「Ｙｅｓ」）、位置・方位記録部２０が、位置・方位コンテンツ情報を記録・保存する（ステップＳ１３）。位置・方位コンテンツ情報が記録・保存された後、本処理が終了する。一方、位置・方位コンテンツ情報を保存しない場合（ステップＳ１２で「Ｎｏ」）は、ステップＳ１３の処理が行われず、そのまま本処理が終了する。
【００３３】
〈携帯通信装置１の動作（ＩＩ）〉
図５は、本実施の形態の携帯通信装置１の動作（ＩＩ）を示すフローチャートであって、随時検出する位置・方位情報ならびに仰角情報に基づき、位置・方位コンテンツ情報の検索を実行・表示し、閲覧結果を記録する処理である。すなわち、本動作は、位置・方位コンテンツ情報の検索を行い、表示させながら、目的の位置・方位情報ならびに仰角情報を確定する処理である。
【００３４】
同図において、まず位置情報取得部１０が位置情報を取得し（ステップＳ２０）、次いで方位情報取得部１１が方位情報を取得し（ステップＳ２１）、さらに、仰角検出部２１が表示器１８の仰角情報を取得する（ステップＳ２２）。
【００３５】
位置情報、方位情報及び仰角情報が取得された後、位置・方位情報検索部１９が、通信部１２を経由して外部と通信を行い、位置情報及び方位情報に関連する情報すなわち位置・方位コンテンツ情報を検索する（ステップＳ２３）。位置・方位情報検索部１９は、外部での検索により位置・方位コンテンツ情報を取得すると（ステップＳ２４）、取得した位置・方位コンテンツ情報を表示する（ステップＳ２５）。すなわち、位置・方位情報検索部１９は、取得した位置・方位コンテンツ情報を位置・方位コンテンツ情報表示部１４に出力し、位置・方位コンテンツ情報表示部１４が、位置・方位コンテンツ情報を表示器１８に好適に表示できる形式に変換して表示制御部１７に出力し、表示制御部１７が、当該情報を表示器１８に表示する。
【００３６】
表示制御部１７が位置・方位コンテンツ情報を表示器１８に表示した後、位置・方位を確定するかどうかの判定が行なわれる（ステップＳ２６）。この場合、位置・方位の確定はユーザによって行われる。ユーザが確定と判断してその旨の操作を行うと、位置・方位が確定される（ステップＳ２６で「Ｙｅｓ」となる）。位置・方位が確定されない場合（ステップＳ２６で「Ｎｏ」の場合）は、ステップＳ２０に戻り、位置情報の取得から処理が再開する。位置・方位が確定された場合は、位置情報及び方位情報（仰角情報を含む）を保存するかどうかの判定が行われる（ステップＳ２７）。この場合、位置情報及び方位情報（仰角情報を含む）を保存するか否かの判定はユーザによって行われる。ユーザが保存すると判断してその旨の操作を行うと、位置情報及び方位情報（仰角情報を含む）が保存される（ステップＳ２８）。すなわち、位置・方位記録部２０が、位置情報及び方位情報（仰角情報を含む）を記録・保存する。位置情報及び方位情報（仰角情報を含む）が保存されない場合（ステップＳ２７で「Ｎｏ」の場合）は、ステップＳ２０に戻り、位置情報の取得から処理が再開する。
【００３７】
位置情報及び方位情報（仰角情報を含む）が記録・保存された後、本処理を終了するか否かの判定が行われる（ステップＳ２９）。この場合、本処理を終了するか否かの判断はユーザによって行われる。ユーザが本処理を終了しないと判断して終了操作を行わなければ（ステップＳ２９で「Ｎｏ」の場合）、ステップＳ２０から処理を再開する。ユーザが本処理を終了すると判断して終了操作を行うと（ステップＳ２９で「Ｙｅｓ」の場合）、本処理が終了する。
【００３８】
〈携帯通信装置１の動作（ＩＩＩ）〉
図６は、本実施の形態の携帯通信装置１の動作（ＩＩＩ）を示すフローチャートであって、記録・保存した位置・方位情報を元に位置・方位コンテンツ情報の検索・閲覧を実行する処理である。同図において、まず位置・方位記録部２０に記録されている位置・方位記録情報の選択が行われる（ステップＳ４０）。この場合、位置・方位記録情報の選択はユーザによって行われる。ユーザが所望の位置・方位記録情報を選択する操作を行うと、位置・方位情報検索部１９が、通信部１２を経由して外部と通信を行い、位置情報及び方位情報に関連する情報すなわち位置・方位コンテンツ情報を検索する（ステップＳ４１）。位置・方位情報検索部１９は、外部での検索により位置・方位コンテンツ情報を取得すると（ステップＳ４２）、取得した位置・方位コンテンツ情報を表示する（ステップＳ４３）。すなわち、位置・方位情報検索部１９は、取得した位置・方位コンテンツ情報を位置・方位コンテンツ情報表示部１４に出力し、位置・方位コンテンツ情報表示部１４が、位置・方位コンテンツ情報を表示器１８に好適に表示できる形式に変換して表示制御部１７に出力し、表示制御部１７が、当該情報を表示器１８に表示する。
【００３９】
次いで、方位変更するかどうかの判定が行なわれる（ステップＳ４４）。この場合、方位変更するかどうかの判定はユーザによって行われる。ユーザが方位変更する操作を行うと（ステップＳ４４で「Ｙｅｓ」）、方位情報が変更される（ステップＳ４６）。方位情報が変更された後、ステップＳ４１に戻り、位置・方位情報検索部１９が、通信部１２を経由して外部と通信を行い、位置・方位コンテンツ情報を検索する。方位情報が変更されない場合（ステップＳ４４で「Ｎｏ」）は、本処理を終了するか否かの判定が行われる（ステップＳ４５）。この場合、本処理を終了するか否かの判断はユーザによって行われる。ユーザが本処理を終了しないと判断して終了操作を行わない場合（ステップＳ４５で「Ｎｏ」）、ステップＳ４０から処理を再開し、ユーザが本処理を終了すると判断して終了操作を行うと、本処理が終了する。
【００４０】
このように、本実施の形態に係る携帯通信装置１によれば、外部と無線通信を行う通信部１２と、表示器１８と、表示器１８の仰角方向を検出する仰角検出部２１と、仰角方向に関する方位の方位情報を取得する方位情報取得部１１と、緯度及び経度の位置情報を取得する位置情報取得部１０と、位置情報及び方位情報を確定する位置・方位確定部１５と、位置・方位確定部１５により確定した位置情報と方位情報を記録する位置・方位記録部２０と、通信部１２を経由して、位置情報及び方位情報に関連する情報を検索可能な位置・方位情報検索部１９と、を備え、位置・方位情報検索部１９で検索され、かつ、位置・方位記録部２０に記録された位置情報と方位情報に関連する情報を表示器１８に表示するので、撮影姿勢をとらなければならないという制約条件を除外し、目的の周囲情報閲覧操作が可能となる。また、位置・方位確定部１５により、位置情報・方位情報を記録する位置・方位記録部２０に、ユーザの閲覧したい対象物の検索条件を記録させるので、閲覧の場所・時間の制約を除外することができる。その結果、見え難い場所での閲覧を回避して見やすい場所で閲覧可能であり、また、その場を離れた後でも閲覧することができる。
【００４１】
なお、本実施の形態に係る携帯通信装置１のハード構成としては、通常のコンピュータを用いることもできる。すなわち、携帯通信装置１は、ＣＰＵ、ＲＡＭ等の揮発性メモリ、及びＲＯＭ等の不揮発性メモリ、及びハードディスク又はＳＳＤ（Solid State Drive）等の大容量記憶装置等を備えたコンピュータによって構成できる。
【００４２】
また、本実施の形態に係る携帯通信装置１における処理を記述したプログラムを、磁気ディスク、光ディスク、光磁気ディスク、半導体メモリ等の記憶媒体に格納して配布したり、インターネット等の電気通信回線を利用して配布したりすることも可能である。
【産業上の利用可能性】
【００４３】
本発明は、撮影姿勢をとらなければならないという制約条件が無く、目的の周囲情報閲覧操作を行うことができるといった効果を有し、携帯電話、ＰＨＳ、無線ＬＡＮ機能を有する携帯端末等の通信機能を有する携帯通信装置への適用が可能である。
【符号の説明】
【００４４】
１  携帯通信装置
１０  位置情報取得部
１１  方位情報取得部
１２  通信部
１４  位置・方位コンテンツ情報表示部
１５  位置・方位確定部
１６  撮像器
１７  表示制御部
１８  表示器
１９  位置・方位情報検索部
２０  位置・方位記録部
２１  仰角検出部
【図１】
2013026885.tif 000003
【図２】
2013026885.tif 000004
【図３】
2013026885.tif 000005
【図４】
2013026885.tif 000006
【図５】
2013026885.tif 000007
【図６】
2013026885.tif 000008
【図７】
2013026885.tif 000009
【図８】
2013026885.tif 000010